(57)【要約】【課題】広視野角に亘って視野角補償効果を高めることができる光学フィルム、液晶パネル及び液晶表示装置を提供する。【解決手段】液晶パネル２の前面に、法線方向に対して一定以上の角度をなす光の出射を制限する制限層３１と、この制限層３１を透過した光を拡散する拡散層３３とを有する光学フィルム１０を配置する。拡散層３３は、レンズ要素３３Ａを有するレンズ面が制限層３１に対向して配置されている。このように、拡散層３３を構成するレンズ面を制限層３１に対向配置することで、レンズ面を制限層３１と反対側に配置する構成に比べて光の拡散性を高めることができる。従って、本発明に係る光学フィルム１０を前面に配置した液晶パネルや液晶表示装置によれば、視野角依存性が改善されて広視野角に亘って優れた視野角補償を得ることが可能となる。【選択図】図１
2007171539.tif 000002
【特許請求の範囲】
【請求項１】
フィルムの法線方向に対して一定以上の角度をなす光の出射を制限する制限層と、
この制限層に積層され前記制限層を透過した光を拡散する拡散層とを有する光学フィルムであって、
前記拡散層は、少なくとも一方の面が多数のレンズ要素を有するレンズ面として形成されているとともに、
前記レンズ面が前記制限層に対向して配置されている
ことを特徴とする光学フィルム。
【請求項２】
前記レンズ要素は、断面が非球面形状である
ことを特徴とする請求項１に記載の光学フィルム。
【請求項３】
前記制限層は、光透過層と、この光透過層内に配列された光吸収性又は光反射性を有する障壁とを備えている
ことを特徴とする請求項１に記載の光学フィルム。
【請求項４】
前記レンズ面には、前記レンズ要素の間に平坦部が設けられている
ことを特徴とする請求項１に記載の光学フィルム。
【請求項５】
前記拡散層は前記制限層に対して光透過性の粘着層を介して積層されている
ことを特徴とする請求項１に記載の光学フィルム。
【請求項６】
液晶層を挟んで対向する一対の透明基板を備えた液晶パネルにおいて、
前記透明基板の法線方向に対して一定以上の角度をなす光の出射を制限する制限層と、この制限層に積層され前記制限層を透過した光を拡散する拡散層とを有する光学フィルムを備え、
前記拡散層は、少なくとも一方の面が多数のレンズ要素を有するレンズ面として形成されているとともに、
前記レンズ面が前記制限層に対向して配置されている
ことを特徴とする液晶パネル。
【請求項７】
液晶パネルの背面に光を照射して画面表示する液晶表示装置において、
前記液晶パネルの前面側には、当該液晶パネルの法線方向に対して一定以上の角度をなす光の出射を制限する制限層と、この制限層に積層され前記制限層を透過した光を拡散する拡散層とを有する光学フィルムが配置されており、
前記拡散層は、少なくとも一方の面が多数のレンズ要素を有するレンズ面として形成されているとともに、
前記レンズ面が前記制限層に対向して配置されている
ことを特徴とする液晶表示装置。
【発明の詳細な説明】
【技術分野】
【０００１】
本発明は、視野角依存を改善することができる光学フィルム、液晶パネル及び液晶表示装置に関する。
【背景技術】
【０００２】
近年、大型の液晶表示装置がＴＶ（Television）用として広く用いられるようになっている。図１５は、従来の液晶表示装置１０１の概略構成を示す断面図である。図１５に示すように、この液晶表示装置１０１は、バックライト１０７、プリズムシート１０８、偏光分離膜１０９及び液晶パネル１０２を備える。
【０００３】
液晶パネル１０２は、スペーサ１０５により所定間隔を離して対向配置された第１及び第２の基板１０３，１０４と、第１及び第２の基板１０３，１０４の間に液晶を注入してなる液晶層１０６とを備える。液晶自体は誘電率異方性を有し、その分子の誘電率と電極が形成する電界との相互作用で液晶が駆動される。
【０００４】
第１の基板１０３は、ガラス基板１２１と、ガラス基板１２１の一主面に積層された透明電極１２２、配向膜１２３と、ガラス基板１２１の他主面に積層された偏光子（偏光フィルム）１２５とを備える。第２の基板１０４は、ガラス基板１１１と、ガラス基板１１１の一主面に積層されたカラーフィルタ１１２、透明電極１１３、配向膜１１４と、ガラス基板１１１の他主面に積層された偏光子（偏光フィルム）１１６とを備える。
【０００５】
このような構成を有する液晶表示装置１０１では、まず、バックライト１０７から出射された光は、プリズムシート１０８によりパネル全面への指向性が向上された後、偏光分離膜１０９により偏光面がバックライト１０７側にある偏光子１２５に合致するように統一される。そして、偏光子１２５で平面偏光となった光は液晶層１０６に入り、電場によって制御された液晶の配向によって画素毎に偏光面が制御され、カラーフィルタ１１２を介して偏光子１１６を通過する。これにより、液晶パネル２の前面側に画像が形成される。
【０００６】
従来の液晶表示装置では、これまでのＣＲＴ（Cathode-Ray Tube）と比べ、いくつかの欠点が指摘されている。その内の一つに視野角の狭さがある。上述したように、液晶表示装置は、液晶層に隣接する電極により液晶の配向状態を制御することにより、すなわち、液晶層を通る光の偏光状態を制御することにより、表示側偏光板を通る光のオン・オフを行う構成を有している。
【０００７】
このため、屈折率が液晶分子を見る方向によって異なってしまう（屈折率異方性）。すなわち、液晶層を通過した光はその角度により異なった偏光状態を持つことになり、液晶パネルを斜め方向から見た場合には、コントラストの低下や階調の反転を招いてしまう。
【０００８】
例えば、ノーマリーブラック表示の液晶表示装置において黒表示する場合には、液晶層の屈折率異方性のために以下のような問題が生じる。すなわち、液晶表示装置を法線方向から見た場合には暗状態となるが、斜めから見た場合には、複屈折が生じて偏光が変化してしまう。その結果、光漏れが生じ、実際には液晶表示画像が黒とはならないという問題が生じる。
【０００９】
そこで、液晶表示装置の視野角を改善するために、下記特許文献１には、液晶パネルの前面側に、液晶パネルの法線方向に対して一定以上の角度をなす光の出射を制限するルーバーフィルムからなる制限層と、この制限層を透過した光を拡散するレンズフィルムからなる拡散層とを配置した構成が開示されている。レンズフィルムは、レンズ面が光出射側（前面側）に配置され、レンズ面と反対側の平坦面が制限層側に対向して配置されている。
【００１０】
上記構成によれば、液晶パネルを斜めに透過する光の出射を上記制限層により制限でき、更に制限層を透過した光を拡散層で拡散出射することで広視野角化を図ることを可能としている。
【００１１】
【特許文献１】特開昭６２−５６９３０号公報
【発明の開示】
【発明が解決しようとする課題】
【００１２】
近年、液晶表示装置においては画面の大型化、高画質化に伴って、広視野角化の要求が益々高まっている。しかしながら、上記特許文献１に記載の液晶表示装置においては、視野角が大きくなるにつれて画像光の色差が大きくなり、視野角補償が十分でないという問題がある。
【００１３】
本発明は上述の問題に鑑みてなされ、広視野角に亘って視野角補償効果を高めることができる光学フィルム、液晶パネル及び液晶表示装置を提供することを課題とする。
【課題を解決するための手段】
【００１４】
以上の課題を解決するに当たり、本発明者らは鋭意検討した結果、制限層から出射した光を拡散する拡散層の構成を改良することで、広視野角に亘って視野角補償を高めることができることを見出した。
【００１５】
すなわち、本発明に係る光学フィルムは、フィルムの法線方向に対して一定以上の角度をなす光の出射を制限する制限層と、この制限層に積層され制限層を透過した光を拡散する拡散層とを有する光学フィルムであって、上記拡散層は、少なくとも一方の面が多数のレンズ要素を有するレンズ面として形成されているとともに、レンズ面が制限層に対向して配置されていることを特徴とする。
【００１６】
上述のように、拡散層を構成するレンズ面を制限層の光出射側に対向配置することで、レンズ面を制限層と反対側に配置する構成に比べて光の拡散性を高めることができる。従って、本発明に係る光学フィルムを前面に配置した液晶パネルや、当該液晶パネルを備えた液晶表示装置に適用することにより、視野角依存性が改善されて広視野角に亘って優れた視野角補償を得ることが可能となる。
【００１７】
制限層は、フィルム法線方向に対して一定以上の角度をなす光の出射を制限できる構成であれば特に制限されず、例えば、光透過層内に光吸収性又は光反射性の障壁が配列されたルーバーフィルムが好適である。制限層の開口形状は特に制限されず、直線状のほか、円形や多角形状等でもよい。
【００１８】
拡散層は、複数のレンズ要素が面内に一次元又は二次元配列されたレンズ面を有するレンズフィルムで構成できる。レンズ面は、レンズフィルムの一方の面に形成されていてもよいし両方の面に形成されていてもよい。レンズ要素の大きさ、形状、ピッチは特に制限されず、例えば断面曲面形状とし、少なくとも１つのレンズ要素が制限層の開口内に位置するように形成することができる。
【００１９】
一方、拡散層において、レンズ面上のレンズ要素とレンズ要素の間に平坦部を介在させることで、視野角補償を確保しながら正面輝度の向上を図ることが可能となる。この平坦部は形成幅が大きいほど正面輝度を向上させることができる。
【００２０】
また、拡散層と制限層との間に光透過性の粘着層を介在させることで、少なくとも各レンズ要素の頂部と制限層との間に空気層を介在させることなく光を出射させることが可能となるので輝度の向上を図ることができる。
【発明の効果】
【００２１】
以上述べたように、本発明によれば、拡散層を構成するレンズ面を制限層に対向配置させたので、広視野角に亘って視野角依存による色差をなくし、優れた視野角補償を実現することが可能となる。
【発明を実施するための最良の形態】
【００２２】
以下、本発明の実施の形態について図面を参照して説明する。なお、本発明は以下の実施の形態に限定されることはなく、本発明の技術的思想に基づいて種々の変形が可能である。
【００２３】
図１は本発明の液晶表示装置の概略構成を示す断面図である。図１に示すように、液晶表示装置１は、いわゆる透過型液晶表示装置であって、バックライト（面発光光源）７、プリズムシート８、偏光分離膜９、液晶パネル２及び本発明に係る光学フィルム１０を備えている。
【００２４】
なお、以下の説明では、液晶表示装置１の表示画面となる側を前面側と称し、それとは反対の側を背面側と称する。また、図中Ｌ１は、プリズムシート８により出射制御された光を示し、Ｌ２は、光学フィルム１０の制限層３１により制限されず透過する光を示す。そして、Ｌ３は、制限層３１により吸収され透過を制限される光を示す。
【００２５】
液晶表示装置１は、種々の方式の液晶表示装置が適用可能であるが、特に、開口部が大きく高輝度のパネルが得られやすいＴＮ(Twisted Nematic)方式又はＶＡ(Vertical Alignment)方式の液晶表示装置に適用することが好ましい。
【００２６】
バックライト７は、例えば冷陰極管（ＣＣＦＬ：Cold Cathode Fluorescent Lamp）又はＬＥＤ(Light Emitting Diode)であり、液晶パネル２の背面側に配置されている。ここでは、液晶パネル２の直下にバックライトを配置する方式（直下式）の場合を例として示すが、液晶パネル２の一端側（エッジ側）に冷陰極管又はＬＥＤ等の光源を配置し導光板を介して液晶パネル２の全面に光を行き渡らせる方式（エッジ式）を用いてもよい。なお、液晶パネル２がテレビ用途などの大型液晶パネルである場合には、バックライトを直下式とすることが好ましい。
【００２７】
プリズムシート８は、液晶パネル２全面への光の指向性を向上させるためのものである。偏光分離膜９は、偏光面が液晶パネル２のバックライト７側にある偏光子２５に合致するように統一させるためのものである。
【００２８】
液晶パネル２は、スペーサ５により所定間隔を離して対向配置された第１及び第２の基板３，４と、第１及び第２の基板３，４の間に液晶を注入してなる液晶層６とを備える。スペーサ５は、第１及び第２の基板３，４間を所定距離保持するためのものである。液晶層６を構成する液晶は、例えばネマティック液晶であり、透明電極１３，２２間に印加された電圧に応じてその配列が変化する。
【００２９】
第１の基板３は、透明基板としてのガラス基板２１と、ガラス基板２１の一主面に積層された透明電極２２、配向膜２３と、ガラス基板２１の他主面に積層された光学補償フィルム２４、偏光子（偏光フィルム）２５とを備える。第２の基板４は、透明基板としてのガラス基板１１と、ガラス基板１１の一主面に積層されたカラーフィルタ１２、透明電極１３、配向膜１４と、ガラス基板１１の他主面に積層された光学補償フィルム１５、偏光子（偏光フィルム）１６とを備える。
【００３０】
透明電極１３，２２は、例えば、インジウムと錫との合金酸化物（ＩＴＯ：Indium Tin Oxide）である。配向膜１４，２３は、液晶分子を一定方向に並べるための膜であり、例えばポリイミドなどの高分子から構成される。
【００３１】
カラーフィルタ１２は、表示画像をカラー表示するためのものであり、ガラス基板１１の一主面に、マトリックス状にパターニングされた遮光膜（ブラックマトリックス）と、この遮光膜の開口部分、すなわち画素となる部分に対応して配列されたＲ（赤）、Ｇ（緑）、Ｂ（青）の各サブ画素と、遮光膜及び各要素を保護する保護膜とを備える。各画素はＲ，Ｇ，Ｂの３つのサブ画素からなり、そのサブ画素のサイズは画面サイズと画素数によるが、例えば、およそ数十ミクロン（３０〜１００μｍ）である。
【００３２】
光学補償フィルム１５，２４は、液晶パネル２の前面側及び背面側の両方に配置されている。この光学補償フィルム１５，２４は、屈折率を補償するためのフィルムであり、例えば、光学的に負の一軸性化合物を、配向角度が厚み方向で連続的に変化するように配列してなるフィルムである。具体的には例えば、支持体と、この支持体上に設けた配向膜と、その上に負の一軸性化合物である円盤状化合物をハイブリッド配向させた光学異方性層とから構成される。円盤状化合物としては、例えばディスコティック液晶タイプの化合物を使用できる。なお、これら光学補償フィルム１５，２４の設置は任意であり、必要に応じて何れか一方又は両方を省略してもよい。
【００３３】
偏光子１６，２５は、入射する光のうち直交する偏光成分の一方のみを通過させ、他方を吸収または反射するフィルムであり、例えば、光学補償フィルム１５，２４上に透過軸が互いに直交するようにして配置される。
【００３４】
光学フィルム１０は、液晶表示装置１の視野角改善手段として液晶パネル２の前面側に配置されている。光学フィルム１０は、フィルム法線方向（すなわち液晶パネル２の法線方向）に対して一定値以上の角度をなす光を低減する制限層３１と、制限層３１を透過した光を効率よく拡散する拡散層３３とから構成される。
【００３５】
制限層３１は、拡散層３３から離して配置してもよいが、拡散層３３の近傍に配置することが好ましく、例えば、制限層３１を拡散層３３の背面側と接するようにして配置する。また、光線の角度制御の観点からすると、制限層３１は偏光子１６の表示面側近傍又は背面側近傍に配置することが好ましく、例えば、制限層３１を偏光子１６の表示面側又は背面側に接するように配置する。
【００３６】
制限層３１は、光透過性を有する材料からなる光透過層（セル）３１Ａ内に、所定構造の障壁３１Ｂを、面内において規則的に配列して構成される。また、障壁３１Ｂは、液晶パネル２の表示面と直角をなすように配列される。障壁３１Ｂの形状は、一次元的なものでもよいし二次元的なものでもよい。一次元的な形状としては所定の間隔をおいて並列された直線的なものであり、二次元的な形状としては、例えば、三角形、四角形もしくは六角形などの多角形、円形状又は楕円形状のうちの一つ、又はそれらの組み合わせが挙げられる。なお、光透過層３１Ａの内部は中空状としてもよい。
【００３７】
光透過層３１Ａを構成する光透過性の材料としては、上述した構造及び性質を実現できるものであればよく、特に材料は限定されるものではないが、例えば種々の光学用プラスチック、ガラス（スピンオンガラスを含む）などを使用できる。
【００３８】
障壁３１Ｂは、光吸収性又は光不透過性を有する。障壁３１Ｂの厚さは例えば均一であり、障壁３１Ｂの高さ、すなわち制限層３１の厚さは、例えば均一である。障壁３１Ｂを構成する材料は、光吸収性又は光不透過性を有するものであれば特に限定されず、例えば、黒色塗料、カーボン粉末、金属の蒸着膜又は広い光吸収性を示すナノ微粒子などを使用できる。
【００３９】
制限層３１により透過を制限される光は、プリズムシート８による光の集光角度に応じて規定することが好ましい。例えば、プリズムシート８による集光角度以上の角度をなして制限層３１に入射する光を制限層３１において制限するようにする。より具体的には、例えば、プリズムシート８により液晶層６に入射する光を液晶パネル２の法線方向に対して約±４５度の範囲内に絞る場合には、液晶パネル２の法線方向に対して±４５度以上の角度をなす光を制限層３１にて低減することが好ましい。
【００４０】
このように制限層３１により透過する光を制限することにより、液晶パネル２の前面から広角度側に漏れてくる光学特性の悪い光を有効に遮断することができる。制限層３１の入射制限角度を大きくすると、光学特性を改善できるが、輝度が低下するため、バックライト７の性能と所望の表示品質とを考慮しながら入射制限角度を調整することが好ましい。
【００４１】
個々のセル（光透過層３１Ａ）のサイズは、光線の入射角を制限できる範囲内において自由に設計することができる。但し、液晶パネル２のサブ画素の大きさが数十ミクロン（３０〜１００μｍ）であることを考慮すると、セルのサイズをサブ画素の大きさに合わせて形成するのが好適である。また、モアレの発生が問題となる場合には、セルのサイズは、サブ画素の大きさの半分から、サブ画素の大きさから一桁小さい大きさまでの範囲とすることが好ましい。
【００４２】
制限層３１の厚さは、透過を制限する光の入射角度を満足するように、パターンの大きさから計算して設計することができる。例えば、液晶パネル２の法線方向に対して±４５度以上の角度をなす光を低減したい場合、セルの開口幅が１００μｍのときは制限層３１の厚さ（セルの高さ）を１００μｍに設定する。また、液晶パネル２の法線方向に対して±３０度以上の角度をなす光を低減したい場合、セルの開口幅が１００μｍのときは制限層３１の厚さ（セルの高さ）を１７３μｍに設定する。
【００４３】
なお、障壁３１Ｂの構成材料は上述した光吸収性のものに限らず、光反射性のものや光散乱性のものも適用可能であり、これらの材料を用いることで条件により輝度の向上を図ることができる。また、光透過性部分と屈折率の異なる微粒子等を障壁に補填するようにしてもよい。さらに、高出力レーザーを用いて例えばガラス板などの光透過層中に直接障壁を形成するようにしてもよい。
【００４４】
一方、拡散層３３は、レンズフィルムで構成されている。拡散層３３を構成するレンズフィルムは、一方の面が多数のレンズ要素を有するレンズ面として形成されており、当該レンズ面が制限層３１と対向するように配置されている。また、当該レンズフィルムの他方の面は平坦な面とされているが、必要に応じて当該他方の面にも同様なレンズ要素を設けてもよい。
【００４５】
図２は、拡散層３３の構成の一例を示す要部断面図である。拡散層３３を構成する各レンズ要素３３Ａはそれぞれ同一の形状を有しており、その断面の外形形状は球面、非球面あるいは双曲面などの曲面形状とされている。特に本実施の形態では、図示するＸＹＺ直交座標系をとったときに、以下の式を満たすように、断面形状が左右対称な非球面形状に形成されている。
Ｚ＝Ｘ2／（Ｒ＋√（Ｒ2−（１＋Ｋ）Ｘ2））＋ＡＸ4＋ＢＸ5＋ＣＸ6＋・・・［μｍ］
なお式中、Ｒは先端頂点の曲率半径、Ｋは円錐係数、Ａ，Ｂ，Ｃ，・・・は高次の非球面係数である。この場合、
Ｒ≧０、Ｋ＜−１、Ｒ−Ｋ≧５、０＜Ａ＜１０-3、０≦Ｂ，Ｃ，・・・≦１０-3、
であることが特に好ましい。
具体的に、本実施の形態においてレンズ要素３３Ａは、以下の式で表される非球面形状で形成されている。
【００４６】
【数１】
2007171539.tif 000003
【００４７】
各レンズ要素３３Ａは、制限層３１内の光透過層３１Ａ（又は障壁３１Ｂ）の形状に合わせて、ＸＹ平面内に一次元的に又は二次元的に周期的に配列されている。すなわち、光透過層３１ＡがＹ軸方向に延びる直線的な形状である場合、図８に示すようにレンズ要素３３ＡはＹ軸方向に稜線方向をもつシリンドリカルレンズ状に形成される。また、光透過層３１Ａが二次元的な形状である場合、レンズ要素３３Ａは光透過層３１Ａの形状に合致したフライアイレンズ状に形成される。
【００４８】
レンズ要素３３Ａの大きさは特に限定されず、光拡散の性能と所望の表示品質とに応じて適宜設定することができる。好適には、制限層３１の障壁３１Ｂによって囲まれる光透過層３１Ａ（セル）の開口幅内において少なくとも１つ（図の例では２つ）のレンズ要素３３Ａが配置できる大きさに構成されている。本実施の形態では、光透過層３１Ａの開口幅が１００μｍで、レンズ要素３３Ａが５０μｍピッチで配列されている
【００４９】
拡散層３３を構成するレンズフィルムは、光透過性を有する例えばポリカーボネート、ポリビニル、アクリル系樹脂、ポリアミド、ポリエチレンテレフタレート、ポリα−オレフィン、繊維素系樹脂、ガラス等の透明フィルムあるいは透明シートで形成されている。レンズ面は、これらの透明フィルムの上に一体的に形成されているが、透明フィルムの上にレンズ面が形成された層を後工程で一体化してもよい。この場合、レンズ面形成層は透明フィルムと異なる光透過性の材料で構成することができる。
【００５０】
更に、図２に示すように、制限層３１と拡散層３３との間に光透過性のある粘着層３４を介在させている。これにより、制限層３１と拡散層３３とを強固に接着保持できるとともに、少なくともレンズ要素３３Ａの頂部と制限層３１との間に空気層を介在しないようにすることができるので、界面反射を抑えて、液晶パネル２の正面輝度の向上を図ることができる。
【００５１】
粘着層３４を構成する粘着剤は、光透過性を有し、かつ制限層３１の光透過層３１Ａと拡散層３３のレンズ要素３３Ａとの間の屈折率差を小さくできる材料であれば特に制限されない。具体的には、例えば、アクリル系粘着剤、シリコーン系粘着剤、ゴム系粘着剤などを用いることができる。
【００５２】
また、図３に示す拡散層３３は、隣接するレンズ要素３３Ａの間にフィルム面に平行な平坦部３３Ｂを設けた構成例を示している。平坦部３３Ｂは、制限層３１から出射し平坦部３３Ｂへ入射するパネル法線方向の光の直線性に影響を与えることなく、そのままパネル前面側へ出射させることが可能となるので、平坦部３３Ｂがない構成（図２）と比較して正面輝度の向上を図ることが可能となる。
【００５３】
平坦部３３Ｂの形成幅は特に制限されないが、平坦部３３Ｂの形成幅が大きいほどパネル法線方向へ出射する光の量が多くなるため正面輝度を向上させることができる。好適には、平坦部３３Ｂの形成幅の上限は、制限層３１の障壁３１Ｂによって囲まれる光透過層（セル）３１Ａの開口幅内において少なくとも１つのレンズ要素３３Ａを配置できる程度の大きさとする。平坦部３３Ｂの形成幅の下限は例えば１０μｍ以上とする。なお、レンズ要素３３Ａの形態によっては広視野角側での出射光量が低下するので、要求される表示特性に応じて設定される。本実施の形態では、平坦部３３Ｂの形成幅をレンズ要素３３Ａの形成幅よりも小さくしている。
【００５４】
次に、上述した構成を有する本実施の形態の液晶表示装置１の作用について説明する。
【００５５】
まず、バックライト７から出射された光は、プリズムシート８によりパネル全面への指向性が向上された光Ｌ１に変換された後、偏光分離膜９により偏光面がバックライト７側にある偏光子２５に合致するように統一され、偏光子２５を透過する。
【００５６】
次に、偏光子２５で平面偏光となった光は液晶層６に入り、電場によって制御された液晶の配向によって画素毎に偏光面が制御される。これにより、液晶パネル２上面の偏光子１６を通過する光量が制御される。そして、カラーフィルタ１２を透過した光は、光学補償フィルム１５により屈折率が補償され、偏光子１６を通過する。
【００５７】
その後、液晶パネル２の法線方向に対して一定以上の角度をなす光Ｌ３が光学フィルム１０の制限層３１にて低減され、制限層を透過した一定以下の角度をなす光Ｌ２のみが拡散層３３において拡散出射される。
【００５８】
本実施の形態によれば、液晶パネル２を斜め方向に一定以上の大きな角度をもって透過した光が制限層３１によって低減されるので、液晶パネル２の前面から広角度側に漏れてくる光学特性の悪い光を有効に遮断することができるとともに、光学特性のよい光を拡散層３３において広い角度範囲にわたって拡散させることができる。これにより、広視野角範囲に亘って視野角依存性が改善され、高画質の画像光を広い視野角範囲に亘って観賞することが可能となる。
【００５９】
特に本実施の形態によれば、拡散層３３のレンズ面が制限層３１に対向して配置されているので、レンズ面とは反対側の平坦面が制限層３１に対向して配置される場合と比較して、拡散層３３に入射する制限層３１からの光の界面反射を抑制でき、これにより拡散層３３を透過する光量を増加させて輝度の向上を図ることができる。また、広視野角側への出射光量も高まり、視野角補償効果を改善することができる。更に図３に示したように、レンズ要素３３Ａの間に平坦部３３Ｂを設けたり、制限層３１と拡散層３３との間に透明粘着層３４を介在させることで、輝度向上効果を更に高めることが可能となる。
【００６０】
ここで、制限層３１を構成する障壁３１Ｂが図２においてＹ軸方向に直線的に延在しＸ軸方向に等ピッチで形成されている場合、Ｘ軸方向（例えば画面左右方向）の視野角依存性が解消されて広視野角範囲に亘って色差のない良好な視野角特性を得ることができる。また、障壁３１Ｂが図２においてＸ，Ｙ軸方向に２次元的に形成されている場合は、Ｘ軸方向及びＹ軸方向（画面左右及び上下方向）の視野角依存性が解消されることになる。
【００６１】
一方、本実施の形態によれば、拡散層３３のレンズ面が制限層３１に対向して配置されてることで、このレンズ面とは反対側の平坦面が図１に示したように液晶パネル２の前面側に位置することになるので、当該平坦面に対するＡＲ膜（反射防止膜）やＡＧ膜（防眩膜）の塗布又は積層が容易となる。
【００６２】
また、本実施の形態によれば、非常に簡便な方法で、広視野角と良好な光学特性（コントラスト・階調・色調）を実現できる。更に、光学補償フィルムを何枚も積層する必要が無くなることでコストを低下させることができ、また光軸を合わせて光学補償フィルムを貼り合わせる必要も無くなるので生産効率を大幅に向上できる。
【００６３】
更に、本実施の形態によれば、従来の広視野角の光学補償フィルムは必要なくなり光学補償フィルムの使用枚数を減らすことができるため、画面の輝度を上げることが可能となる。入射角制限内において特性が合致した光学補償フィルム１５，２４を用いることで更に光学特性を上げることができる。この場合、従来の広視野角の光学補償フィルムよりも狭い角度に特化した光学補償を考慮すればよいので、光学補償フィルムの簡素化又は高性能化が容易となるという利点がある。
【００６４】
続いて、本発明に係る光学フィルム１０の製造方法の一例について説明する。
【００６５】
図４は、拡散層３３の製造方法を説明する模式図である。
透明フィルム４１を金型ロール（転写ロール）４７に巻き付けて、加圧ロール４２と剥離ロール４５でニップする。金型ロール４７は、その表面にレンズ要素を形成するための微細形状（凹部）が形成されており、ロール一周分の表面でレンズ面を作製する。
金型ロール４７の材質としては、微細形状を精密に形成するのに適した金属材料が好ましい。例えば、加工的に実績のあるアルミニウム合金や銅合金がよく、最も好ましくは無酸素銅がよい。鉄系材料は、ダイヤモンドバイトによる精密切削が困難であるが、表面に銅めっきやニッケルめっき等の加工層を形成することで使用することが可能となる。
【００６６】
樹脂ディスペンサ４４からは、エネルギーを吸収して硬化する樹脂４３を金型ロール４７に滴下して、樹脂だまりを形成し、透明フィルム４１に圧着する。
エネルギーを吸収して硬化する樹脂４３としては、光学的透明性を有する紫外線硬化型樹脂が好適である。紫外線硬化型樹脂としては、アクリル系樹脂、ポリエステル樹脂、ポリ塩化ビニル、ポリウレタン、シリコーン樹脂等の各種樹脂が用いられる。
【００６７】
そして、各ロールを回転させて、金型ロール４７の下方から紫外線ランプ４６より紫外線を照射して透明フィルム４１に圧着された紫外線硬化型樹脂４３を硬化させるとともに、透明フィルム４１に接合させる。硬化後、回転している剥離ロール４５で巻き取り、剥離ロール４５から透明フィルム４１を剥がすことで、表面に微細なレンズ要素が２次元の広がりをもって多数配列されたレンズ面を有するレンズフィルム（拡散層３３）を製造することができる。
【００６８】
また、図５に模式的に示すように、熱プレス法にて拡散層３３を製造することも可能である。この例では、透明フィルム５０の表面（上面）側に、レンズ面を加圧転写するための微細形状が形成された平板状の金型４９を配置し、透明フィルム５０の裏面（下面）側に鏡面板５１を配置する。そして、これら金型４９および鏡面板５１を一対の加熱冷却プレート４８で加熱プレスする。一定時間経過後、加熱冷却プレート４８の内部で冷却し型開きすることで、表面に所望のレンズ面が形成された輝度向上フィルムを作製することができる。
ここで用いられる透明フィルムの材質としては、ポリエチレンテレフタレート、ポリカーボネート、ゼオノア（商品名）等が挙げられる。
その他、溶融押し出し加工等の他の加工方法を用いて拡散層３３を製造することができる。
【００６９】
制限層３１の製造方法としては、例えば、光透過性を有するＵＶ硬化性樹脂フィルム上に障壁３１Ｂの形状に対応するマスク形状のフォトマスクを積層して紫外光を照射する。そして、フォトマスクにより架橋されなかった部分を溶剤により除去する。次に、このフィルムにアクリル樹脂にカーボンを分散した黒色塗料のペーストをスキージにてパターンの奥まで黒色塗料が行き渡るように塗布する。そして、塗料の乾燥後、表面に残存する塗料をウエスにて拭き取ることで、制限層３１を作製する。なお、黒色塗料としては、硬化性及び非硬化性のどちらのものも使用することができる。
【００７０】
また、制限層３１の他の製造方法としては図６及び図７に示す例がある。
【００７１】
図６に示す制限層３１の製造方法は、まず図６Ａに示すように光透過層３１Ａを構成する所定厚の透明板体６１と障壁３１Ｂを構成する所定厚の黒色板体６２とを交互に積み重ねて一体化して、図６Ｂに示す第１積層体６３を作製する。
次いで、積層体６３を切断線Ｃ１−Ｃ１に沿って積層面と直交する方向に切断して図６Ｃに示す複数の積層片６４に分割する。
そして、各積層片６４の間に図６Ｄに示す黒色板体６５が介在するように再積層化して図６Ｆに示す第２積層体６６を作製する。
最後に、積層体６６を切断線Ｃ２−Ｃ２に沿って積層面と直交する方向に切断することで、図６Ｆに示すように障壁３１Ｂで囲まれた四角形状の光透過層（セル）３１Ａを有する制限層（ルーバーフィルム）３１を作製することができる。
【００７２】
なお、図６Ｂに示した第１積層体６３を図６Ｅに示した切断線Ｃ２−Ｃ２に沿って切断することで、光透過層３１Ａが直線状に延在する制限層３１を作製することができる。
【００７３】
一方、図７に示す制限層３１の製造方法は、図７Ａに示すように光透過層３１Ａの開口形状に合致する断面形状を備えた複数本の柱状透明体７１を準備し、これらを図７Ｂに示すように互いに所定の間隔をおいて二次元的に配列させる。そして、これら柱状透明体７１の間に黒色樹脂７２を注入して障壁３１Ｂを形成した後、切断線Ｃ３−Ｃ３で切断することで図７Ｄに示す制限層（ルーバーフィルム）３１Ｂを作製することができる。
【００７４】
更に他の例として、例えばＰＥＴ等のフィルムに引張強度を超えるテンションを加えてクレージング（微小クラック）を生じさせたフィルムとクレージングの生じていないフィルムとを交互に複数層積層した後、層厚方向に切断することで、一次元方向のルーバーフィルムを容易に作製することができる。クレージング層は樹脂分子がメゾポーラスな構造をもち、設計により光学的、電気的、機械的に固有な特性をもたせることができる。そこで、クレージング層に光遮蔽機能をもたせるように例えば色素を取り込ませることで、上述したような障壁３１Ｂと同様な作用をもたせることができる。
【実施例】
【００７５】
以下、本発明の実施例について説明する。
【００７６】
（実施例１）
上述の実施形態のように、液晶パネル２の前面に、制限層３１と拡散層３３とからなる光学フィルム１０を積層した。表１に示す混色データを全面に表示し、各色の水平方向の視野角依存の色差違いを下記の条件で試験した。得られた結果を図９に示す。
【００７７】
【表１】
2007171539.tif 000004
【００７８】
（試験条件）
・液晶パネル２：ＴＮ型ディスプレイ  Diamond crysta ＲＤＴ１５９Ｖ（ＮＥＣ三菱電機ビジュアルシステムズ（株）製）
・制限層３１：セキュリティ／プライバシーフィルターＰＦ１５ＥＮ（３Ｍ社製）
光透過層３１Ａ及び障壁３１Ｂが直線的に延在するルーバーフィルムで、光透過層３１Ａ及び障壁３１Ｂの延在方向を液晶パネル２の上下方向に向けて配置した。
・拡散層３３：上記（１）式で示した断面非球面形状のシリンドリカルレンズフィルム
レンズ要素３３Ａの形成ピッチは５０μｍで、図８に示すようにレンズ面が制限層３１と対向するように稜線方向を液晶パネル２の上下方向に向けて配置した。
・色度計：EZ-contrast  ＸＬ８８（ＥＬＤＩＭ社製）
【００７９】
拡散層３３を構成するレンズフィルムは以下の方法で作製した。
熱プレス用の金属製エンボスを原盤として、横断面形状が（１）式で示した非球面状凹、ピッチ５０μｍで連続して彫刻されたものを用いた。熱可塑性樹脂として、２００μｍポリカーボネート樹脂シート（三菱エンジニアリングプラスチック（株）製ＦＥ２０００）を１８０℃、１０分間、１００ｋｇｆ／ｃｍ２（９．８ＭＰａ）のプレス条件でサンプルを得た。
【００８０】
（比較例１−１）
制限層３１及び拡散層３３を備えていない液晶パネルを用いて実施例１と同様な試験を行った。その結果を図１０に示す。
【００８１】
（比較例１−２）
制限層３１及び拡散層３３を備えていない液晶パネルを用いて実施例１と同様な試験を行った。液晶パネルはＶＡ方式（ハッピーベガＫＤＬ−Ｓ１９Ａ１０（ソニー（株）製）のものを用いた。その結果を図１１に示す。
【００８２】
（比較例１−３）
実施例１の条件において拡散層３３を構成するレンズフィルムの表裏を反転し、レンズ面とは反対側の平坦面を制限層３１と対向するように配置させて（レンズ面を観察者側に向けて）実施例１と同様な試験を行った。その結果を図１２に示す。
【００８３】
図１０及び図１１に示すように、液晶パネルに制限層及び拡散層からなる光学フィルムを積層しない比較例１−１及び比較例１−２の場合、各色で視野角違いによる色差が著しく大きい。これに対し、図９に示すように、本発明を用いた実施例１においては、視野角依存による色差がほとんどなく広角度範囲に亘って良好な視野角補償を実現している。
【００８４】
一方、図１２に示すように、レンズ面を観察者側に向けて配置した比較例１−３においては、視野角補償の効果は認められるものの、黒や赤などで色差が大きく、実施例１に比べて視野角補償が十分でないことが確認される。
【００８５】
（実施例２−１）
上述の実施形態のように、液晶パネル２の前面に、制限層３１と拡散層３３とからなる光学フィルム１０を積層し、下記の試験条件で白表示時及び黒表示時における輝度分布を測定した。得られた結果を図１３Ａ，Ｂに示す。なお、図１３Ａは白表示時、図１３Ｂは黒表示時を示している。
【００８６】
（試験条件）
・液晶パネル２：ＴＮ型ディスプレイ  Diamond crysta ＲＤＴ１５９Ｖ（ＮＥＣ三菱電機ビジュアルシステムズ（株）製）
・制限層３１：セキュリティ／プライバシーフィルターＰＦ１５ＥＮ（３Ｍ社製）
光透過層３１Ａ及び障壁３１Ｂが直線的に延在するルーバーフィルムで、光透過層３１Ａ及び障壁３１Ｂの延在方向を液晶パネル２の上下方向に向けて配置した。
・拡散層３３：上記（１）式で示した断面非球面形状のシリンドリカルレンズフィルム
レンズ要素３３Ａのピッチは５０μｍ、レンズ面が制限層３１と対向するように稜線方向を液晶パネル２の上下方向に向けて配置した（図８参照）。
・輝度色度計：EZ-contrast  ＸＬ８８（ＥＬＤＩＭ社製）
【００８７】
拡散層３３を構成するレンズフィルムは以下の方法で作製した。
熱プレス用の金属製エンボスを原盤として、横断面形状が上記（１）式で示した非球面状凹、ピッチ５０μｍで連続して彫刻されたものを用いた。熱可塑性樹脂として、２００μｍポリカーボネート樹脂シート（三菱エンジニアリングプラスチック（株）製ＦＥ２０００）を１８０℃、１０分間、１００ｋｇｆ／ｃｍ２（９．８ＭＰａ）のプレス条件でサンプルを得た。
【００８８】
（実施例２−２）
上述の実施形態のように、液晶パネル２の前面に、制限層３１と拡散層３３とからなる光学フィルム１０を積層し、下記の試験条件で白表示時及び黒表示時における輝度分布を測定した。得られた結果を図１３Ａ，Ｂに示す。
【００８９】
（試験条件）
・液晶パネル２：ＴＮ型ディスプレイ  Diamond crysta ＲＤＴ１５９Ｖ（ＮＥＣ三菱電機ビジュアルシステムズ（株）製）
・制限層３１：セキュリティ／プライバシーフィルターＰＦ１５ＥＮ（３Ｍ社製）
光透過層３１Ａ及び障壁３１Ｂが直線的に延在するルーバーフィルムで、光透過層３１Ａ及び障壁３１Ｂの延在方向を液晶パネル２の上下方向に向けて配置した。
・拡散層３３：上記（１）式で示した断面非球面形状のシリンドリカルレンズフィルムで図３に示したようにレンズ要素３３Ａ間に平坦部３３Ｂが設けられている。
レンズ要素３３Ａのピッチは５０μｍ、平坦部３３Ｂの形成幅は７μｍ、レンズ面が制限層３１と対向するように稜線方向を液晶パネル２の上下方向に向けて配置した（図８参照）。
・輝度計：ＲＩＳＡ−ＣＯＬＯＲ（有限会社ハイランド製）
【００９０】
拡散層３３を構成するレンズフィルムは以下の方法で作製した。
熱プレス用の金属製エンボスを原盤として、横断面形状が上記（１）式で示した非球面状凹（底辺５０μｍ）と幅７μｍの平坦部との組み合わせを間隔５７μｍで規則的に連続して彫刻されたものを用いた。熱可塑性樹脂として、２００μｍポリカーボネート樹脂シート（三菱エンジニアリングプラスチック（株）製ＦＥ２０００）を１８０℃、１０分間、１００ｋｇｆ／ｃｍ２（９．８ＭＰａ）のプレス条件でサンプルを得た。
【００９１】
（実施例２−３）
上述の実施形態のように、液晶パネル２の前面に、制限層３１と拡散層３３とからなる光学フィルム１０を積層し、下記の試験条件で白表示時及び黒表示時における輝度分布を測定した。得られた結果を図１３Ａ，Ｂに示す。
【００９２】
（試験条件）
・液晶パネル２：ＴＮ型ディスプレイ  Diamond crysta ＲＤＴ１５９Ｖ（ＮＥＣ三菱電機ビジュアルシステムズ（株）製）
・制限層３１：セキュリティ／プライバシーフィルターＰＦ１５ＥＮ（３Ｍ社製）
光透過層３１Ａ及び障壁３１Ｂが直線的に延在するルーバーフィルムで、光透過層３１Ａ及び障壁３１Ｂの延在方向を液晶パネル２の上下方向に向けて配置した。
・拡散層３３：上記（１）式で示した断面非球面形状のシリンドリカルレンズフィルムで図３に示したようにレンズ要素３３Ａ間に平坦部３３Ｂが設けられている。
レンズ要素３３Ａのピッチは５０μｍ、平坦部３３Ｂの形成幅は１７μｍ、レンズ面が制限層３１と対向するように稜線方向を液晶パネル２の上下方向に向けて配置した（図８参照）。
・輝度計：ＲＩＳＡ−ＣＯＬＯＲ（有限会社ハイランド製）
【００９３】
拡散層３３を構成するレンズフィルムは以下の方法で作製した。
熱プレス用の金属製エンボスを原盤として、横断面形状が上記（１）式で示した非球面状凹（底辺５０μｍ）と幅１７μｍの平坦部との組み合わせを間隔６７μｍで規則的に連続して彫刻されたものを用いた。熱可塑性樹脂として、２００μｍポリカーボネート樹脂シート（三菱エンジニアリングプラスチック（株）製ＦＥ２０００）を１８０℃、１０分間、１００ｋｇｆ／ｃｍ２（９．８ＭＰａ）のプレス条件でサンプルを得た。
【００９４】
（比較例２−１）
制限層３１及び拡散層３３を備えていない液晶パネルを用いて実施例２−１と同様な試験を行った。その結果を図１３Ａ，Ｂに示す。
【００９５】
（比較例２−２）
制限層３１のみを備えた液晶パネルを用いて実施例２−１と同様な試験を行った。その結果を図１３Ａ，Ｂに示す。
【００９６】
従来技術に相当する比較例２−１においては、白表示時で正面方向に最も輝度が高く、広視野角になるにつれて輝度の低下が著しくなる。また、黒表示時では斜め方向（約６０度）からの光漏れが確認される。一方、制限層（ルーバーフィルム）のみ液晶パネルに設置された比較例２−２においては、白表示時で正面方向の指向性が高く、３０度以上の斜め方向では輝度がほぼゼロである。また、黒表示時においても光漏れは確認されない。
【００９７】
これに対して、本発明に係る光学フィルム（制限層３１＋拡散層３３）を備えた実施例２−１〜実施例２−３においては、斜め方向にも正面方向とぼぼ同レベルの輝度レベルが得られることから、広視野角化が確保されていることが確認できる。また、黒表示時における光漏れも殆ど認められない。
【００９８】
更に、拡散層３３においてレンズ要素３３Ａの谷部に平坦部３３Ｂを設けた実施例２−２及び実施例２−３においては、特に、幅１７μｍの平坦部３３Ｂを設けた実施例２−３において実施例２−１に比べて正面輝度の効果が顕著に認められた（破線で囲む円Ｐ参照）。なお、幅７μｍの平坦部３３Ｂを設けた実施例２−２においては、実施例２−１に比べて正面輝度の向上は殆ど認められなかった。
【００９９】
（実施例３）
上述の実施形態のように、液晶パネル２の前面に、制限層３１と拡散層３３とからなる光学フィルム１０を積層し、下記の試験条件で白表示時及び黒表示時における輝度分布を測定した。得られた結果を図１４Ａ，Ｂに示す。なお、図１４Ａは白表示時、図１４Ｂは黒表示時を示している。図１４Ａ，Ｂには、上述した実施例２−１、比較例２−１及び比較例２−２の測定結果を併せて示している。
【０１００】
（試験条件）
・液晶パネル２：ＴＮ型ディスプレイ  Diamond crysta ＲＤＴ１５９Ｖ（ＮＥＣ三菱電機ビジュアルシステムズ（株）製）
・制限層３１：セキュリティ／プライバシーフィルターＰＦ１５ＥＮ（３Ｍ社製）
光透過層３１Ａ及び障壁３１Ｂが直線的に延在するルーバーフィルムで、光透過層３１Ａ及び障壁３１Ｂの延在方向を液晶パネル２の上下方向に向けて配置した。
・拡散層３３：上記（１）式で示した断面非球面形状のシリンドリカルレンズフィルムで制限層３１と拡散層３３とを粘着層３４を介して積層した。
レンズ要素３３Ａのピッチは５０μｍ、レンズ面が制限層３１と対向するように稜線方向を液晶パネル２の上下方向に向けて配置した（図８参照）。
・粘着層３４：厚さ約０．０１ｍｍ、ノンキャリアＬＳ０２８０（リンテック（株）製）
・輝度計：ＲＩＳＡ−ＣＯＬＯＲ（有限会社ハイランド製）
【０１０１】
拡散層３３を構成するレンズフィルムは以下の方法で作製した。
熱プレス用の金属製エンボスを原盤として、横断面形状が上記（１）式で示した非球面状凹、ピッチ５０μｍで連続して彫刻されたものを用いた。熱可塑性樹脂として、２００μｍポリカーボネート樹脂シート（三菱エンジニアリングプラスチック（株）製ＦＥ２０００）を１８０℃、１０分間、１００ｋｇｆ／ｃｍ２（９．８ＭＰａ）のプレス条件でサンプルを得た。
【０１０２】
図１４Ａ，Ｂに示すように、粘着層３４をを設けた実施例３においても実施例２−１と同様な視野角補償効果が得られた。また、図１４Ａに示すように、実施例２−１に比べて正面輝度の効果が顕著に認められた（破線で囲む円Ｒ参照）。
【図面の簡単な説明】
【０１０３】
【図１】本発明の実施の形態による液晶表示装置１の概略構成を示す断面図である。
【図２】本発明に係る光学フィルム１０を構成する制限層３１及び拡散層３３の要部断面図である。
【図３】拡散層３３の構成の変形例を示す図２と同様な断面図である。
【図４】拡散層３３を構成するレンズフィルムの一製造方法を説明する図である。
【図５】拡散層３３を構成するレンズフィルムの他の製造方法を説明する図である。
【図６】制限層３１の一製造方法を説明する工程図である。
【図７】制限層３１の他の製造方法を説明する工程図である。
【図８】本発明の実施例において説明する液晶パネル２と制限層３１と拡散層３３との関係を示す斜視図である。
【図９】本発明の実施例において説明する実施例１に係る液晶パネルの視野角特性を示す図である。
【図１０】本発明の実施例において説明する比較例１−１に係る液晶パネルの視野角特性を示す図である。
【図１１】本発明の実施例において説明する比較例１−２に係る液晶パネルの視野角特性を示す図である。
【図１２】本発明の実施例において説明する比較例１−３に係る液晶パネルの視野角特性を示す図である。
【図１３】本発明の実施例２において説明する各液晶パネルの輝度分布特性を示す図であり、Ａは白表示時、Ｂは黒表示時をそれぞれ示している。
【図１４】本発明の実施例３において説明する各液晶パネルの輝度分布特性を示す図であり、Ａは白表示時、Ｂは黒表示時をそれぞれ示している。
【図１５】従来の液晶表示装置の概略構成を示す断面図である。
【符号の説明】
【０１０４】
１…液晶表示装置、２…液晶パネル、３…第１の基板、４…第２の基板、５…スペーサ、６…液晶層、７…バックライト、８…プリズムシート、９…偏光分離膜、１０…光学フィルム、１１，２１…ガラス基板、１２…カラーフィルタ、１３，２２…透明電極、１４，２３…配向膜、１５，２４…光学補償フィルム、１６，２５…偏光子、３１…制限層、３１Ａ…光透過層（セル）、３１Ｂ…障壁、３３…拡散層、３３Ａ…レンズ要素、３３Ｂ…平坦部、３４…粘着層
【図１】
2007171539.tif 000005
【図２】
2007171539.tif 000006
【図３】
2007171539.tif 000007
【図４】
2007171539.tif 000008
【図５】
2007171539.tif 000009
【図６】
2007171539.tif 000010
【図７】
2007171539.tif 000011
【図８】
2007171539.tif 000012
【図９】
2007171539.tif 000013
【図１０】
2007171539.tif 000014
【図１１】
2007171539.tif 000015
【図１２】
2007171539.tif 000016
【図１３】
2007171539.tif 000017
【図１４】
2007171539.tif 000018
【図１５】
2007171539.tif 000019